Podtech/llm-jp-corpus-v4-ja_patent huggingface dataset:
【手続補正書】
【提出日】平成27年10月26日(2015.10.26)
【手続補正１】
【補正対象書類名】特許請求の範囲
【補正対象項目名】全文
【補正方法】変更
【補正の内容】
【特許請求の範囲】
【請求項１】
硬化性ビスイミド樹脂中における実質的に球形で約１ナノメートル〜約１０００ナノメートルの範囲の平均粒子直径を有するナノシリカ粒子のコロイド分散体であって、揮発性物質を本質的に含まず、前記粒子には前記硬化性ビスイミド樹脂への相溶性を該粒子に付与するオルガノシラン基がその表面に結合している、コロイド分散体、を含む硬化性樹脂ゾル。
【請求項２】
（ａ）硬化性ビスイミド樹脂中における実質的に球形で約１ナノメートル〜約１０００ナノメートルの範囲の平均粒子直径を有するナノシリカ粒子のコロイド分散体であって、前記ナノシリカ粒子には前記硬化性ビスイミド樹脂への相溶性を該ナノシリカ粒子に付与するオルガノシラン基がその表面に結合している、コロイド分散体、を含む硬化性樹脂ゾルと、（ｂ）炭素、ガラス、セラミック、ホウ素、シリコンカーバイド、ポリイミド、ポリエチレン、又はこれらの組み合わせを含む、強化繊維と、を含む組成物。
【手続補正書】
【提出日】平成27年10月23日(2015.10.23)
【手続補正１】
【補正対象書類名】明細書
【補正対象項目名】００８６
【補正方法】変更
【補正の内容】
【００８６】
当業者であれば、全体として捉える把握されるべき、この文書に示される記載内容を考慮することで本発明を実施することが可能であろう。上記の発明を、明確な理解を目的として実例及び例示としてある程度詳細に説明したが、当業者であれば、付属の特許請求の範囲内において一定の変更及び改変を行いうる点は認識されるであろう。本発明のより完全な理解を与えるために多くの詳細及び例を記載した。本発明をその好ましい形態で開示したが、本明細書に開示及び説明される本明細書の具体的な実施形態及び実施例は、限定的な意味で捉えられるべきではない。当業者であれば、本説明文を考慮することで、本発明が多くの方法で改変可能である点は直ちに明らかとなるはずである。本発明者によれば、本発明の主題は、本明細書に開示される異なる要素、特徴、機能、及び／又は性質のすべての組み合わせ、及び部分的組み合わせを含むものとみなされる。
本発明の実施態様の一部を以下に記載する。
［項目１］
（ａ）ガラス転移温度が３５℃以上で、かつ分子量が少なくとも３５，０００ｇ／モルのアクリル樹脂Ａと、
（ｂ）ガラス転移温度が５７℃以上で、かつ分子量が少なくとも６０，０００ｇ／モルのアクリル樹脂Ｂと、
（ｃ）カルダノールにより６０：４０の比に修飾された、分子量が３０００で、かつヒドロキシル当量が約７２０のエポキシ樹脂と、を含むコーティング組成物。
［項目２］
前記アクリル樹脂Ａが、メタクリル酸メチル、メタクリル酸ｎ−ブチル、メタクリル酸イソブチル、メタクリル酸エチル、メタクリル酸プロピル、メタクリル酸ヘキシル、メタクリル酸エチルヘキシル、メタクリル酸２−エチルヘキシル、メタクリル酸シクロヘキシル、他の脂肪族メタクリル酸エステル、及びこれらの組み合わせからなる群から選択される少なくとも２種類の（メタ）アクリル酸アルキルエステルのモノマーからなる群から選択される、項目１に記載のコーティング組成物。
［項目３］
前記アクリル樹脂Ａが、メタクリル酸メチルとメタクリル酸ｎ−ブチルとの組み合わせを含む、項目２に記載のコーティング組成物。
［項目４］
前記アクリル樹脂Ｂが、メタクリル酸メチル、メタクリル酸ｎ−ブチル、メタクリル酸イソブチル、メタクリル酸エチル、メタクリル酸プロピル、メタクリル酸ヘキシル、メタクリル酸エチルヘキシル、メタクリル酸２−エチルヘキシル、メタクリル酸シクロヘキシル、他の脂肪族メタクリル酸エステル、及びこれらの組み合わせからなる群から選択される少なくとも２種類の（メタ）アクリル酸アルキルエステルのモノマーからなる群から選択される、項目１に記載のコーティング組成物。
［項目５］
前記アクリル樹脂Ｂが、メタクリル酸メチルとメタクリル酸ｎ−ブチルとの組み合わせを含む、項目４に記載のコーティング組成物。
［項目６］
前記アクリル樹脂Ａが、組成物の全重量に対して１〜２０重量％の量で存在する、項目１に記載のコーティング組成物。
［項目７］
前記アクリル樹脂Ｂが、組成物の全重量に対して１〜３０重量％の量で存在する、項目１に記載のコーティング組成物。
［項目８］
前記エポキシ樹脂が、組成物の全重量に対して１〜３０重量％の量で存在する、項目１に記載のコーティング組成物。
［項目９］
前記組成物が、乾燥剤、分散剤、充填剤、レオロジー調整添加剤、ゴム、及び溶媒からなる群から選択される添加剤を含む、項目１に記載のコーティング組成物。
［項目１０］
前記乾燥剤が、ナフテン酸コバルト、ナフテン酸カルシウム、ナフテン酸ニッケル、ナフテン酸マンガン、オクタン酸ニッケル、オクタン酸コバルト、オクタン酸ジルコニウム、又はこれらの組み合わせからなる群から選択される、項目９に記載のコーティング組成物。
［項目１１］
前記乾燥剤がナフテン酸カルシウムである、項目９に記載のコーティング組成物。
［項目１２］
前記乾燥剤が、組成物の全重量に対して０．１〜５重量％の量で存在する、項目９に記載のコーティング組成物。
［項目１３］
前記分散剤が、Ａｎｔｉｔｅｒａ  Ｕである、項目９に記載のコーティング組成物。
［項目１４］
前記分散剤が、組成物の全重量に対して０．１〜５重量％の量で存在する、項目９に記載のコーティング組成物。
［項目１５］
前記充填剤が、炭酸カルシウム、粉砕シリカ、ヒュームドシリカ、沈降シリカ、無水ケイ酸、タルク、粘土、炭酸マグネシウム、ブラックオキサイド、酸化チタン、鋳型用プラスタ、硫酸バリウム、酸化亜鉛、マイカパウダー、ベントナイト、ガラス粉末、ベンガラ、カーボンブラック、グラファイト粉末、アルミナ、又はこれらの組み合わせからなる群から選択される、項目９に記載のコーティング組成物。
［項目１６］
前記充填剤が、組成物の全重量に対して１〜１０重量％の量で存在する、項目９に記載の組成物。
［項目１７］
前記レオロジー調整添加剤がアエロジルである、項目９に記載の組成物。
［項目１８］
前記レオロジー調整添加剤が、組成物の全重量に対して１〜１０重量％の量で存在する、項目９に記載の組成物。
［項目１９］
前記溶媒が、キシレン、トルエン、酢酸ブチル、アセトン、メチルエチルケトン、メチルイソブチルケトン；メタノール、エタノール、プロパノール、ブタノール、ジアセトンアルコールなどのアルコール、若しくは他の芳香族炭化水素系の溶媒、アルコール、又はこれらの混合物からなる群から選択される、項目９に記載の組成物。
［項目２０］
前記溶媒が、組成物の全重量に対して２０〜８０重量％の量である、項目９に記載の組成物。
［項目２１］
前記ゴムが、組成物の全重量に対して０．１〜２重量％の量で存在する、項目９に記載の組成物。
【手続補正２】
【補正対象書類名】特許請求の範囲
【補正対象項目名】全文
【補正方法】変更
【補正の内容】
【特許請求の範囲】
【請求項１】
（ａ）ガラス転移温度が３５℃以上で、かつ分子量が少なくとも３５，０００ｇ／モルのアクリル樹脂Ａと、
（ｂ）ガラス転移温度が５７℃以上で、かつ分子量が少なくとも６０，０００ｇ／モルのアクリル樹脂Ｂと、
（ｃ）カルダノールにより６０：４０の比に修飾された、分子量が３０００で、かつヒドロキシル当量が約７２０のエポキシ樹脂と、を含むコーティング組成物。
【手続補正書】
【提出日】平成27年10月5日(2015.10.5)
【手続補正１】
【補正対象書類名】特許請求の範囲
【補正対象項目名】全文
【補正方法】変更
【補正の内容】
【特許請求の範囲】
【請求項１】
表面を有する動物用噛み具であって、
前記動物用噛み具を形成するベース組成物と、
前記動物用噛み具の表面の少なくとも一部に付加される接着剤組成物と、
前記接着剤組成物を有する前記動物用噛み具の前記表面の少なくとも一部に付加されるアスコフィラムノドサムと、を含み、前記アスコフィラムノドサムが、前記動物用噛み具の０．１重量％から５．０重量％の量で存在し、前記動物用噛み具が、ＡＳＴＭ  Ｄ２２４０−０５（２０１０）により測定される、ショア７０Ａからショア７０Ｄの範囲の硬度、及び、ＡＳＴＭ  Ｄ７９０−１０により測定される、５０×１０３ｐｓｉから５００×１０３ｐｓｉの範囲の曲げ弾性率を示すことを特徴とする動物用噛み具。
【請求項２】
請求項１に記載の動物用噛み具であって、
前記ベース組成物が食用樹脂であり、前記アスコフィラムノドサムが、前記動物用噛み具の０．５重量％から２．０重量％の量で存在することを特徴とする動物用噛み具。
【請求項３】
請求項１に記載の動物用噛み具であって、
前記接着剤組成物は、殺菌卵白、アルブミン及び粉末タイロース水溶液の一群の中から選択されていることを特徴とする動物用噛み具。
【請求項４】
請求項１に記載の動物用噛み具であって、
前記アスコフィラムノドサムがエキスの形態であることを特徴とする動物用噛み具。
【請求項５】
請求項１に記載の動物用噛み具であって、力学的磨耗をもたらす添加物をさらに含み、
前記添加物がモース硬度で４以下を示し、前記ベース組成物の５重量％から１０重量％の範囲で存在することを特徴とする動物用噛み具。
【請求項６】
請求項１に記載の動物用噛み具であって、次の、アルマ、ビルベリーの果実、サンザシの実、エキナセア、ヒドラスチス、葉酸、オリーブ葉エキス、アロエベラ、クランベリー、甘草の根、スピルリナ、スギナ、補酵素Ｑ１０、イエロードックの根、アルファルファの葉、桂皮、ウコンの根、ビタミンＣ、ヘキサメタリン酸ナトリウム、及び、これらの組み合わせの群から選択された、口腔衛生を改善するための一つ以上の摂取可能な添加物をさらに含み、
前記一つ以上の摂取可能な添加物は、前記ベース組成物の０．０１重量％から２５．０重量％の範囲で存在することを特徴とする動物用噛み具。
【請求項７】
請求項１に記載の動物用噛み具であって、前記アスコフィラムノドサムは、シートの形態であることを特徴とする動物用噛み具。
【請求項８】
請求項１に記載の動物用噛み具であって、前記動物用噛み具は、ＡＳＴＭ  Ｄ６３８−１０により測定される、０．５％から６００％の範囲の切断伸度を示すことを特徴とする動物用噛み具。
【請求項９】
請求項１に記載の動物用噛み具であって、前記動物用噛み具は、ＡＳＴＭ  Ｄ６３８−１０により測定される、５０×１０３ｐｓｉから５００×１０３ｐｓｉの範囲の引張係数を示すことを特徴とする動物用噛み具。
【請求項１０】
請求項１に記載の動物用噛み具であって、前記動物用噛み具は、ＡＳＴＭ  Ｄ２２４０−０５（２０１０）により測定される、ショアＤ２５からショアＤ４０の硬度を示すことを特徴とする動物用噛み具。
【請求項１１】
動物用噛み具を形成する方法であって、
ベース組成物を可塑化する手順と、
前記ベース組成物を、表面を有する形状に形成する手順と、
接着剤組成物を前記表面の少なくとも一部に付加する手順と、
アスコフィラムノドサムを前記接着剤組成物を有する前記表面の少なくとも一部に付加する手順と、を備え、
前記アスコフィラムノドサムは、前記動物用噛み具の０．１重量％から５．０重量％の量で加えられることを特徴とする方法。
【請求項１２】
請求項１１に記載の方法であって、前記ベース組成物は、澱粉であり、さらに、前記方法は、
前記ベース組成物に水を混ぜる手順であって、前記水が前記ベース組成物の２０重量％から４０重量％の範囲で存在する手順と、
前記水の含有量を減らす手順であって、前記ベース組成物の形成後においては、前記水が前記ベース組成物の１重量％から２０重量％の範囲で存在する手順と、
を備えることを特徴とする方法。
【請求項１３】
請求項１１に記載の方法であって、前記ベース組成物は、先ず押出機で可塑化されてビーズ状に形成され、そして射出成形によって前記形状に形成されることを特徴とする方法。
【請求項１４】
請求項１１に記載の方法であって、前記接着剤組成物は、殺菌卵白、アルブミン及び粉末タイロース水溶液の一群の中から選択されることを特徴とする方法。
【請求項１５】
請求項１１に記載の方法であって、前記ベース組成物は、前記形状に形成される前に加熱され、前記アスコフィラムノドサムは、前記形状が雰囲気温度まで冷却される前に、前記形状の前記表面に付加されることを特徴とする方法。
【請求項１６】
請求項１１に記載の方法であって、前記アスコフィラムノドサムの一部は、可塑化中に、前記ベース組成物と混ぜ合わせられることを特徴とする方法。
【請求項１７】
請求項１１に記載の方法であって、前記ベース組成物に力学的磨耗をもたらす添加物を加える手順をさらに備え、
前記添加物は、モース硬度で４以下を示し、前記ベース組成物の５重量％から１０重量％の範囲で存在することを特徴とする方法。
【請求項１８】
請求項１１に記載の方法であって、次の、アルマ、ビルベリーの果実、サンザシの実、エキナセア、ヒドラスチス、葉酸、オリーブ葉エキス、アロエベラ、クランベリー、甘草の根、スピルリナ、スギナ、補酵素Ｑ１０、イエロードックの根、アルファルファの葉、桂皮、ウコンの根、ビタミンＣ、ヘキサメタリン酸ナトリウム、及び、これらの組み合わせの群から選択された、口腔衛生を改善するための一つ以上の摂取可能な添加物を、前記ベース組成物に加える手順をさらに含み、
前記一つ以上の摂取可能な添加物が、前記ベース組成物の０．０１重量％から２５．０重量％の範囲で加えられることを特徴とする方法。
【請求項１９】
請求項１１に記載の方法であって、前記動物用噛み具は、ＡＳＴＭ  Ｄ２２４０−０５（２０１０）により測定される、ショアＤ２５からショアＤ４０の硬度を示すことを特徴とする方法。
【請求項２０】
動物の口内の歯垢又は歯石を治療する方法であって、
動物に、ベース組成物を含む表面を有する動物用噛み具を与える手順を備え、
前記動物用噛み具は、
ＡＳＴＭ  Ｄ２２４０−０５（２０１０）により測定される、ショア７０Ａからショア７０Ｄの範囲の硬度と、ＡＳＴＭ  Ｄ７９０−１０により測定される、５０×１０３ｐｓｉから５００×１０３ｐｓｉの範囲の曲げ弾性率とを示し、
前記表面の少なくとも一部に付加された接着剤組成物を備え、
前記接着剤組成物を有する前記動物用噛み具の前記表面の少なくとも一部に付加されたアスコフィラムノドサムを備え、
前記アスコフィラムノドサムは、前記動物用噛み具の０．１重量％から５．０重量％の量で存在し、前記動物用噛み具に存在する前記アスコフィラムノドサムの総量の、少なくとも１０重量％が前記表面に付加されることを特徴とする方法。
【手続補正書】
【提出日】平成27年8月18日(2015.8.18)
【手続補正１】
【補正対象書類名】特許請求の範囲
【補正対象項目名】全文
【補正方法】変更
【補正の内容】
【特許請求の範囲】
【請求項１】
真菌感染症を治療するシステムであって、
ａ）真菌感染症を有する対象領域に近接して配置されるように適合された電極と、
ｂ）前記真菌感染症を根治するために、前記電極と作動可能に連通し、電界を前記対象領域に印加するように構成された電源および制御装置と、を含むシステム。
【請求項２】
前記制御装置が、プラズマを前記電極および前記真菌感染症付近に生成するために、パルス状の電圧波形を前記電極に印加するように構成され、前記パルス状の電圧波形が、前記電極と前記対象領域との間に微小放電を生成するために必要な時間より短い持続時間パルスを有する、請求項１に記載のシステム。
【請求項３】
前記波形が、（ｉ）０．０００００００１０秒〜０．００００００１０秒、（ｉｉ）０．００００００００１０秒〜０．０００００００１０秒、および（ｉｉｉ）０．０００００００００１０秒〜０．００００００００１０秒の少なくとも１つの間のパルス持続時間を有する、請求項２に記載のシステム。
【請求項４】
前記対象領域上に前記プラズマによって蓄積された電力が、１．０ミリワット毎平方センチメートルと１０．０ワット毎平方センチメートルとの間である、請求項３に記載のシステム。
【請求項５】
前記対象領域上に前記プラズマによって蓄積された前記電力が、１０．０ミリワット毎平方センチメートル〜１．０ワット毎平方センチメートルの間である、請求項３に記載のシステム。
【請求項６】
前記電極上に配置された治療先端部近くに、有機物質、ガス物質、ゲル状物質、液状物質アミノ酸、生理食塩水、脱イオン水、およびりん酸緩衝生理食塩水から成る群から選択された少なくとも１つの物質を含む有益な薬剤を分注する分注器をさらに含む、請求項１に記載のシステム。
【請求項７】
前記分注器が、有益な薬剤を爪甲上に分注するよう適合され、かつ構成される、請求項６に記載のシステム。
【請求項８】
前記有益な薬剤が、爪甲に適用するための伝導性ゲルを含む、請求項７に記載のシステム。
【請求項９】
前記電極が、前記制御装置によって選択的に活性化および非活性化されるように適合され、かつ構成された導体のアレイを含む、請求項１に記載のシステム。
【請求項１０】
前記電源が、前記導体のアレイ内の複数の導体を活性化することにより、前記対象領域内で経時的に移動するプラズマを生成するために、電力を前記電極に印加するように適合され、かつ構成される、請求項９に記載のシステム。
【請求項１１】
前記電極が、弾性および／または可撓性である物質から作成される、請求項１０に記載のシステム。
【請求項１２】
前記電極が、可撓性を有しない、請求項１０に記載のシステム。
【請求項１３】
前記対象領域を通って前記電極と電気通信する前記電極から離れた場所に配置されるように適合された導通パッドをさらに含む、請求項１に記載のシステム。
【請求項１４】
前記制御装置が、前記対象領域内に制御された均一な電力の蓄積を維持するために、前記導通パッドから受け取る信号に応答して、前記印加された電圧を調節する、請求項２に記載のシステム。
【請求項１５】
前記治療先端部が、その上に表面プラズマの形成を促進するために、丸みを帯びた遠位端を有する、請求項６に記載のシステム。
【手続補正書】
【提出日】平成27年10月14日(2015.10.14)
【手続補正１】
【補正対象書類名】特許請求の範囲
【補正対象項目名】全文
【補正方法】変更
【補正の内容】
【特許請求の範囲】
【請求項１】
磁気共鳴装置の検査ボリュームに置かれるオブジェクトの磁気共鳴イメージングの方法であって、
磁気共鳴信号を取得するための二つ以上のイメージングシーケンスに前記オブジェクトをかけるステップであって、前記イメージングシーケンスが各々、前記磁気共鳴イメージングにおける空間エンコーディングに対する少なくとも一つの高周波パルスと少なくとも一つのスイッチ傾斜磁場を有する、ステップと、
前記二つのイメージングシーケンスを用いて取得される磁気共鳴信号から二つ以上の磁気共鳴位相画像を再構成するステップであって、前記磁気共鳴イメージングにおける空間エンコーディングに対する前記イメージングシーケンスの一つの前記スイッチ傾斜磁場が、前記イメージングシーケンスの１つの前記スイッチ傾斜磁場に対して対向極性を持つ、ステップと、
前記磁気共鳴位相画像の画像位相から前記オブジェクトの電気特性の空間分布を導出するステップとを有する、方法。
【請求項２】
前記オブジェクトの電気特性の空間分布が、前記傾斜磁場成分の空間微分に対する電流密度に関するアンペアの法則に基づいて前記磁気共鳴位相画像から導出される、請求項１に記載の方法。
【請求項３】
前記イメージングシーケンスが、変動する時間的プロファイルを持つスイッチ傾斜磁場を有し、前記オブジェクトの電気特性の空間分布が、前記取得された磁気共鳴信号から導出される、請求項１又は２のいずれか一項に記載の方法。
【請求項４】
前記オブジェクトを第１の磁気共鳴信号を取得するための第１のイメージングシーケンスにかけるステップと、
前記オブジェクトを第２の磁気共鳴信号を取得するための第２のイメージングシーケンスにかけるステップであって、前記第１及び第２のイメージングシーケンスのスイッチ傾斜磁場が対向極性を持つ、ステップと、
前記オブジェクトを第３の磁気共鳴信号を取得するための第３のイメージングシーケンスにかけるステップと、
前記オブジェクトを第４の磁気共鳴信号を取得するための第４のイメージングシーケンスにかけるステップであって、前記第３及び第４のイメージングシーケンスのスイッチ傾斜磁場が対向極性を持つ、ステップと、
前記第１、第２、第３及び第４の磁気共鳴信号から前記オブジェクトの電気特性の空間分布を導出するステップとを有し、前記オブジェクトが、前記第１及び第２の磁気共鳴信号の取得後、前記第３及び第４の磁気共鳴信号の取得前に、前記磁気共鳴装置の主磁場軸と垂直な軸まわりに９０°回転される、請求項１乃至３のいずれか一項に記載の方法。
【請求項５】
前記第１及び第２のイメージングシーケンスのスイッチ傾斜磁場の空間方向が、前記第３及び第４のイメージングシーケンスのスイッチ傾斜磁場の空間方向と異なる、請求項４に記載の方法。
【請求項６】
三次元磁気共鳴位相画像が前記第１、第２、第３及び第４の磁気共鳴信号から各々再構成される、請求項４又は５のいずれか一項に記載の方法。
【請求項７】
請求項１乃至６のいずれか一項に記載の方法を実行するための磁気共鳴装置であって、検査ボリューム内に均一な定常磁場を生成するための少なくとも一つの主磁石コイルと、前記検査ボリューム内の異なる空間方向にスイッチ傾斜磁場を生成するための複数の傾斜磁場コイルと、前記検査ボリューム内に高周波パルスを生成するため及び／又は前記検査ボリューム内に位置するオブジェクトから磁気共鳴信号を受信するための少なくとも一つの高周波コイルと、高周波パルスとスイッチ傾斜磁場の時間的遷移を制御するための制御ユニットと、再構成ユニットとを含み、前記磁気共鳴装置は、
磁気共鳴信号を取得するための二つ以上のイメージングシーケンスに前記オブジェクトをかけるステップであって、前記イメージングシーケンスが各々、前記磁気共鳴イメージングにおける空間エンコーディングに対する少なくとも一つの高周波パルスと少なくとも一つのスイッチ傾斜磁場を有する、ステップと、
対向極性の前記磁気共鳴イメージングにおける空間エンコーディングに対するスイッチ傾斜磁場を有するイメージングシーケンスを用いて取得される磁気共鳴信号から二つ以上の磁気共鳴位相画像を再構成するステップと、
前記磁気共鳴位相画像から前記オブジェクトの電気特性の空間分布を導出するステップと
を実行するように構成される、磁気共鳴装置。
【請求項８】
磁気共鳴装置上で実行されるコンピュータプログラムであって、
磁気共鳴信号を取得するための二つ以上のイメージングシーケンスを生成するステップであって、前記イメージングシーケンスが各々、前記磁気共鳴イメージングにおける空間エンコーディングに対する少なくとも一つの高周波パルスと少なくとも一つのスイッチ傾斜磁場を有する、ステップと、
前記磁気共鳴イメージングにおける空間エンコーディングに対する対向極性のスイッチ傾斜磁場を有するイメージングシーケンスを用いて取得される磁気共鳴信号から二つ以上の磁気共鳴位相画像を再構成するステップと、
前記磁気共鳴位相画像からオブジェクトの電気特性の空間分布を導出するステップ
のための命令を有する、コンピュータプログラム。
【手続補正書】
【提出日】平成27年8月14日(2015.8.14)
【手続補正１】
【補正対象書類名】特許請求の範囲
【補正対象項目名】全文
【補正方法】変更
【補正の内容】
【特許請求の範囲】
【請求項１】
流体入口を流体出口に流体接続する流体導管、及び
前記流体導管内に配置されたろ過材を備えるろ過装置であって、
前記ろ過材が、ＣＯｘＥｙ（ＸＰＳにより測定され、式中、Ｅは、Ｓ、Ｓｅ、及びＴｅのうちの少なくとも１つから選択され、ｘは０．１以下であり、ｙは０．００５〜０．３である）の表面を有する炭素基材を含む、
ろ過装置。
【請求項２】
前記炭素基材が、前記炭素基材の合計質量に基づいて、０．９０質量％未満の窒素を含む、請求項１に記載のろ過装置。
【請求項３】
前記炭素基材が、前記炭素基材の合計質量に基づいて、２．０質量％を超える硫黄を含む、請求項１又は２に記載のろ過装置。
【請求項４】
クロラミンを含む水溶液を用意する工程と、
前記水溶液を、ＣＯｘＥｙ（ＸＰＳにより測定され、式中、Ｅは、Ｓ、Ｓｅ、及びＴｅのうちの少なくとも１つから選択され、ｘは０．１以下であり、ｙは０．００５〜０．３である）の表面を有する炭素基材を含む組成物に接触させる工程と
を含む、水溶液からクロラミンを除去する方法。
【請求項５】
炭素基材をカルコゲン含有化合物に接触させる工程と、
酸素の存在下で、３００℃〜１２００℃の温度まで加熱する工程とを含み、
前記酸素の形態が、二原子酸素、二酸化硫黄、水、二酸化炭素、及びこれらの組み合わせからなる群から選択される、カーボンオキシカルコゲナイドの製造方法。
【手続補正書】
【提出日】平成27年9月11日(2015.9.11)
【手続補正１】
【補正対象書類名】明細書
【補正対象項目名】００４９
【補正方法】変更
【補正の内容】
【００４９】
試験ディスク部材５０５は、最上面３０３、最下面３０４およびディスク縁部３０５を含む。試験ディスク部材５０５の直径は、１５から２５ミリメートルの間、例えば２０ミリメートルである。ディスク縁部３０５の高さと等しいディスクの厚さは、０．５ミリメートルから１ミリメートルの間である。孔３０６は、試験ディスク部材５０５の中心に形成される。この孔３０６により、試験ディスク部材５０５を軸２０４に取り付けることが可能になる。
【手続補正２】
【補正対象書類名】明細書
【補正対象項目名】００６６
【補正方法】変更
【補正の内容】
【００６６】
カートリッジ１０６の内部に収容することができる試験ディスク部材の数、すなわちカートリッジ１０６によって行うことができる試験の回数は、カートリッジ１０６の高さ、および隣り合う試験ディスク部材の対応する部分間（例えば、上面間）の隔離距離の関数になることを理解されたい。より高いカートリッジにより、および／または試験ディスク部材の隔離距離の低減により、単一のカートリッジ１０６を使用して行うことができる試験の回数が増加する。
【手続補正書】
【提出日】平成27年9月8日(2015.9.8)
【手続補正１】
【補正対象書類名】特許請求の範囲
【補正対象項目名】全文
【補正方法】変更
【補正の内容】
【特許請求の範囲】
【請求項１】
解剖学的部位の歪み画像を提供するための超音波エラストログラフィシステムにおいて、前記システムは、
−少なくとも１つのトランスデューサ要素を持つ超音波プローブから時変超音波信号を受信する、
−前記時変超音波信号に基づいて、前記超音波プローブと前記解剖学的部位との間における、軸方向（ｙ）の相対的軸方向移動を示す軸方向移動データを決める、及び
−前記軸方向移動データに基づいて、水平方向（ｘ）における前記軸方向移動の水平変化を決める
ように構成される信号処理ユニットを有し、並びに
前記システムはさらに、
−前記軸方向移動データに基づいて決められる歪み画像データに基づく前記解剖学的部位の歪み画像を表示する、及び
−前記軸方向移動の水平変化に基づく前記歪み画像の品質の水平変化の標示を表示する
ように構成される表示ユニットを有し、
前記歪み画像の品質の標示が、バーを有する棒グラフであり、前記バーの形状が、前記歪み画像の品質の水平変化を示す、システム。
【請求項２】
前記軸方向移動の水平変化は、水平方向（ｘ）にある少なくとも２つの水平方向位置（ｘｉ）に対する相対的軸方向移動量を決める、及び前記軸方向移動量を比較することにより決められる、請求項１に記載のシステム。
【請求項３】
前記表示ユニットは、前記相対的軸方向移動量の標示を前記水平方向位置（ｘｉ）の関数として表示することにより、前記歪み画像の品質の水平変化の標示を表示するように構成される、請求項２に記載のシステム。
【請求項４】
前記軸方向移動データは、各々が軸方向位置（ｙｉ）及び水平方向位置（ｘｉ）を持つ複数の地点（Ｐ（ｘｉ，ｙｉ））に対する２次元データであり、前記軸方向移動データは、前記複数の地点の各々の地点に対する相対的軸方向移動量を示している、請求項１に記載のシステム。
【請求項５】
前記軸方向移動の水平変化を決めることは、前記水平方向（ｘ）にある少なくとも２つの水平方向位置（ｘｉ）の各々に対し、夫々が水平方向位置（ｘｉ）を持つ前記複数の地点のこれら地点に対する相対的軸方向移動量を平均化することを有する、請求項４に記載のシステム。
【請求項６】
前記軸方向移動の水平変化を決めることは、前記水平方向（ｘ）にある少なくとも２つの水平方向位置（ｘｉ）の各々に対し、夫々が水平方向位置（ｘｉ）を持つ前記複数の地点のこれら地点に対する相対的軸方向移動量の軸方向の導関数を平均化することを有する、請求項４に記載のシステム。
【請求項７】
前記バーの高さは、前記歪み画像の品質のレベルを示している、請求項１に記載のシステム。
【請求項８】
前記バーの形状は、前記歪み画像の品質が水平方向に変化するときに、傾斜及び/又は湾曲する、請求項１に記載のシステム。
【請求項９】
前記歪み画像の品質の水平変化の標示は、リアルタイムで表示される及び/又は後で表示するためにメモリに記憶される、請求項１に記載のシステム。
【請求項１０】
前記表示ユニットはさらに、前記解剖学的部位の超音波エコー強度画像を表示するように動作可能である、請求項１に記載のシステム。
【請求項１１】
前記信号処理ユニットは、前記軸方向移動データに基づいて、高さ方向（ｚ）における前記軸方向移動の高度変化を決めるように構成され、及び前記表示ユニットは、前記軸方向移動の高度変化に基づいて、歪み画像の品質の高度変化の標示を表示するように構成される、請求項１に記載のシステム。
【請求項１２】
解剖学的部位の歪み画像を提供するための超音波エラストログラフィ方法において、
−少なくとも１つのトランスデューサ要素を持つ超音波プローブから時変超音波信号を受信するステップ、
−前記時変超音波信号に基づいて、前記超音波プローブと前記解剖学的部位との間における、軸方向（ｙ）の相対的軸方向移動を示す軸方向移動データを決めるステップ、
−前記軸方向移動データに基づいて、水平方向における前記軸方向移動の水平変化を決めるステップ、
−前記軸方向移動データに基づいて決められる歪み画像データに基づく前記解剖学的部位の歪み画像を表示するステップ、及び
−前記軸方向移動の水平変化に基づく前記歪み画像の品質の水平変化の標示を表示するステップ
を有し、
前記歪み画像の品質の標示が、バーを有する棒グラフであり、前記バーの形状が、前記歪み画像の品質の水平変化を示す、方法。
【請求項１３】
コンピュータプログラムがコンピュータ上で実行されるとき、前記コンピュータに請求項１２に記載の方法の前記ステップを実行させるためのプログラムコード手段を有するコンピュータプログラム。
【手続補正書】
【提出日】平成27年10月16日(2015.10.16)
【手続補正１】
【補正対象書類名】特許請求の範囲
【補正対象項目名】全文
【補正方法】変更
【補正の内容】
【特許請求の範囲】
【請求項１】
ＭＵＣ１＊リガンドを含む、細胞の成長、維持及びより未熟な状態への復帰の誘導用の細胞培養培地。
【請求項２】
前記細胞が以下から選択される請求項１に記載の細胞培養培地；
幹細胞若しくは前駆体細胞、又は成熟細胞、体細胞若しくは前駆体細胞、又はヒト細胞。
【請求項３】
培地が、以下を含まない請求項１又は２に記載の細胞培養培地；
ｂＦＧＦ、ＴＧＦ−ベータ若しくはこれらの両方、又は血清。
【請求項４】
培地が、以下から選ばれる少なくとも１をさらに含む請求項１〜３のいずれか一に記載の細胞培養培地；
（１−１）インスリン、セレン、トランスフェリン、ｌ−アスコルビン酸又は非必須アミノ酸、
（１−２）インスリン、セレン、トランスフェリン、ｌ−アスコルビン酸を更に含み、ＮａＨＣＯ３を使用してｐＨが調整されている、
（２）ｒｈｏ関連キナーゼの阻害剤、
（３）ＰＩ３Ｋ又はＲＡＣ経路におけるシグナル伝達タンパク質の活性化剤を更に含み、かつｒｈｏキナーゼ阻害剤を含まない、
（４）ＮＭＥ１又はＮＭＥ２の発現を抑制する核酸、
（５−１）グアニン交換因子の阻害剤、
（５−２）グアニン交換因子の阻害剤であって六量体形態のＮＭＥ１、
（５−３）グアニン交換因子の阻害剤であってＮＭＥ１由来のペプチド、
（６−１）他の成長因子、
（６−２）他の成長因子としてＦＧＦ−２及び／又はＴＧＦ−ベータ。
【請求項５】
前記ＭＵＣ１＊リガンドが以下から選択される請求項１〜４のいずれか一に記載の細胞培養培地；
（１）ＮＭＥファミリータンパク質、
（２）ＮＭＥ１、
（３）ＮＭＥ１が二量体化された２つの単量体として、又は２つのサブユニットを有する１本鎖として設計された２つの単量体として存在するもの、
（４）ＮＭＥ７、
（５）ＮＭＥ７がおよそ２５ｋＤａ又はおよそ３０ｋＤａの分子量を有するもの、
（６）ＮＭＥ７−ＡＢ、
（７）ＮＭＥ６。
【請求項６】
ＮＭＥファミリータンパク質を含む細胞培養培地と細胞を接触させることを含み、幹細胞若しくは前駆体細胞の成長を刺激するか、又はより未熟な状態への細胞の復帰を誘導する方法。
【請求項７】
細胞培養培地が、請求項１〜５のいずれか一に記載の培地である請求項６に記載の方法。
【請求項８】
基礎培地及び幹細胞を成長又は維持する非必須アミノ酸を加えたＮＭＥファミリータンパク質から本質的になる、細胞培養培地。
【請求項９】
ＮＭＥファミリータンパク質から本質的になる細胞培養培地と細胞を接触させることを含み、幹細胞若しくは前駆体細胞の成長を刺激するか、又はより未熟な状態への細胞の復帰を誘導する方法。
【請求項１０】
幹細胞集団を含む組成物であって、ＮＭＥファミリータンパク質を含む無血清培養培地を更に含む、組成物。
【請求項１１】
前駆体細胞又は幹細胞に結合するリガンドの表面で幹細胞又は前駆体細胞を増殖する方法であって、ＮＭＥファミリーのタンパク質を含む培地と細胞を接触させることを含む、方法。
【請求項１２】
ナイーブ幹細胞の純集団を作製する方法であって、
（ｉ）ナイーブ幹細胞の単一コロニーを得るようにＮＭＥファミリータンパク質を含む細胞培養培地と細胞を接触させることと、
（ｉｉ）ナイーブ幹細胞の前記単一コロニーを単離することと、
（ｉｉｉ）ナイーブ幹細胞の純集団を得るようにＮＭＥファミリータンパク質を含む細胞培養培地と前記コロニーを接触させることと、
を含む、方法。
【請求項１３】
工程（ｉ）において、２５％〜６０％若しくは３０％〜５０％のナイーブ状態の細胞が得られる、請求項１２に記載の方法。
【請求項１４】
工程（ｉｉｉ）において、ナイーブ幹細胞集団の純度が少なくとも８０％若しくは９０％若しくは９５％若しくは９９％である、請求項１２又は１３に記載の方法。
【請求項１５】
人工多能性幹細胞からナイーブ幹細胞の純集団を作製する方法であって、
細胞が、成熟細胞又は前駆体細胞である請求項１２〜１４のいずれか一に記載の方法。
【請求項１６】
工程（ｉ）において前記成熟細胞に多能性遺伝子を形質移入する、請求項１５に記載の方法。
【請求項１７】
前記成熟細胞又は前駆体細胞が体細胞、皮膚芽細胞又は線維芽細胞である、請求項１５又は１６に記載の方法。
【請求項１８】
ヒト胚性幹細胞株を作出する方法であって、
（ｉ）ＮＭＥファミリータンパク質を含む細胞培養培地と胚盤胞由来の細胞を接触させることと、
（ｉｉ）幹様形態を有する増殖物を単離することと、
（ｉｉｉ）ＮＭＥファミリータンパク質を含む細胞培養培地と単離された増殖物を接触させることと、
（ｉｖ）所望の核型を有し、多能性のレベル及びその細胞が多能性であることを示すナイーブ遺伝子を発現するクローンを単離することと、
を含む、方法。
【請求項１９】
前記ＮＭＥファミリーメンバーがＮＭＥ７若しくはＮＭＥ７−ＡＢである、請求項１８に記載の方法。
【請求項２０】
前記ＮＭＥファミリーメンバーを含有する培地がＦＧＦを含有しない、請求項１８又は１９に記載の方法。
【請求項２１】
細胞内でＮＭＥ１及びＮＭＥ２を抑制することを含む、請求項１８〜２０のいずれか一に記載の方法。
【請求項２２】
ヒト人工多能性幹細胞株を作出する方法であって、
（ｉ）ＮＭＥファミリータンパク質を含む細胞培養培地とドナー又は患者由来の細胞を接触させることと、
（ｉｉ）多能性遺伝子ＯＣＴ４、ＳＯＸ２、ＮＡＮＯＧ、ＫＬＦ４、ｃ−Ｍｙｃ又はＬＩＮ２８の発現を誘導する物質と前記細胞を接触させることと、
（ｉｉｉ）幹細胞様形態を有する細胞を単離することと、
（ｉｖ）ＮＭＥファミリータンパク質を含む細胞培養培地と単離された細胞を接触させることと、
（ｖ）所望の核型を有し、その細胞が多能性であることを示す多能性遺伝子レベルを発現するクローンを単離することと、
（ｖｉ）ＮＭＥファミリーメンバーを含む培地中でクローンを増やすことと、
を含む、方法。
【請求項２３】
前記ＮＭＥファミリーメンバーがＮＭＥ７若しくはＮＭＥ７−ＡＢである、請求項２２に記載の方法。
【請求項２４】
前記ＮＭＥファミリーメンバーを含有する培地がＦＧＦを含有しない、請求項２２又は２３に記載の方法。
【請求項２５】
細胞内でＮＭＥ１及びＮＭＥ２を抑制することを含む、請求項２２〜２４のいずれか一に記載の方法。
【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
核酸の鎖を含む遺伝子サンプルの制御されたフラグメント化のために超音波放射を使用する方法であって、
目標方向に音響エネルギーを向けるフレネル型環状セクタアクチュエータ（ＦＡＳＡ）として構成された、上部電極及び下部電極を有する基板を備えた変換器を提供することと、
前記サンプルを収容するサンプル容器であって、前記変換器の前記目標方向に配置され、結合媒体を介して前記変換器と音響的に結合したサンプル容器を提供することと、
一定の時間間隔で音響エネルギーを、前記一定の時間間隔に対応した平均フラグメントサイズを有する核酸のフラグメントにまで小さくされる前記遺伝子サンプルに向けるために前記変換器に対して入力波形を適用し、入力波形は、選択された繰り返し速度とデューティサイクルとを有するバースト音を備えるとを含むことを特徴とする方法。
【請求項２】
前記基板が圧電材料を備え、前記電極が導電性材料を備えることを特徴とする、請求項１に記載の方法。
【請求項３】
前記遺伝子サンプルが、少なくとも１つのＤＮＡ（デオキシリボ核酸）、ＲＮＡ（リボ核酸）、または溶解細胞を含むことを特徴とする、請求項１に記載の方法。
【請求項４】
前記入力波形が、前記基板の共鳴周波数に近い周波数を含むことを特徴とする、請求項１に記載の方法。
【請求項５】
前記一定の時間間隔で音響エネルギーを前記遺伝子サンプルに向けるために前記入力波形を前記変換器に適用するとき、前記一定の時間間隔が、前記平均フラグメントサイズに近い目標フラグメントサイズと関連付けられることを特徴とする、請求項１に記載の方法。
【請求項６】
前記入力波形の電圧レベルと前記平均フラグメントサイズの目標フラグメントサイズ、あるいは、
前記平均フラグメントサイズの目標フラグメントサイズと前記入力波形のバースト音の繰り返し速度、
前記平均フラグメントサイズの目標フラグメントサイズと前記入力波形のバースト音のデューティサイクル、
前記平均フラグメントサイズの目標フラグメントサイズと前記入力波形のRF周波数、
前記平均フラグメントサイズの目標フラグメントサイズとFASA構成体における構成要素における前記入力波形のバースト音の位相組み合わせ、
のうちの１つの関数としての前記一定の時間間隔を推定することをさらに含むことを特徴とする、請求項１に記載の方法。
【請求項７】
前記上部電極及び下部電極の各々が０度から３６０度の角を有するセクタをカバーする複数の環状セグメントを含むことを特徴とする、請求項１に記載の方法。
【請求項８】
前記上部電極及び下部電極の各々が、領域を約等しいセクタに分割する複数のセクタエレメントを備える複合電極を備え、セクタエレメントの各々は、対応する角を有するセクタをそれぞれカバーする複数の環状セグメントを備えることを特徴とする、請求項１に記載の方法。
【請求項９】
前記バースト音は、選択された形状を有している、ことを特徴とする、請求項１に記載の方法。
【請求項１０】
前記バースト音の継続時間と振幅は、システマチックに調整される、ことを特徴とする、請求項１に記載の方法。
【請求項１１】
核酸の鎖を含む遺伝子サンプルの制御されたフラグメント化のために超音波放射を使用する装置であって、
目標方向に音響エネルギーを向けるフレネル型環状セクタアクチュエータ（ＦＡＳＡ）として構成された、上部電極及び下部電極を有する基板を備えた変換器と、
前記遺伝子サンプルを収容するサンプル容器であって、前記変換器の前記目標方向に配置され、結合媒体を介して前記変換器と音響的に結合したサンプル容器と、
一定の時間間隔で音響エネルギーを、前記一定の時間間隔に対応した平均フラグメントサイズを有する核酸のフラグメントにまで小さくされる前記遺伝子サンプルに向けるために前記変換器に対して入力波形を適用し、入力波形は、選択された繰り返し速度とデューティサイクルとを有するバースト音を備える無線周波数発生器を含むことを特徴とする装置。
【請求項１２】
前記一定の時間間隔で音響エネルギーを前記遺伝子サンプルに向けるために前記入力波形を前記変換器に適用するとき、前記一定の時間間隔が、前記平均フラグメントサイズに近い目標フラグメントサイズと関連付けられることを特徴とする、請求項１１に記載の装置。
【請求項１３】
前記周波数発生器が、前記入力波形の電圧レベルと前記平均フラグメントサイズの目標フラグメントサイズ、あるいは、
平均フラグメントサイズの目標フラグメントサイズと、前記入力波形のバースト音の繰り返し速度、
前記平均フラグメントサイズの目標フラグメントサイズと、前記入力波形のバースト音のデューティサイクル、
前記平均フラグメントサイズの目標フラグメントサイズと、前記入力波形のＲＦ周波数、
前記平均フラグメントサイズの目標フラグメントサイズと、前記ＦＡＳＡ構成体の構成要素における前記入力波形のバースト音の位相組み合わせ、
の関数としての前記一定の時間間隔を推定するようにさらに構成されていることを特徴とする、請求項１１に記載の装置。
【請求項１４】
前記無線周波数生成器（１０９）は、更に、選択された形状を有するバースト音を用いるように構成されていることを特徴とする、請求項１１に記載の装置。
【請求項１５】
前記無線周波数生成器（１０９）は、更に、前記バースト音の継続時間と振幅をシステマチックに調整するよう構成されていることを特徴とする、請求項１１に記載の装置。
【手続補正書】
【提出日】平成27年10月2日(2015.10.2)
【手続補正１】
【補正対象書類名】特許請求の範囲
【補正対象項目名】全文
【補正方法】変更
【補正の内容】
【特許請求の範囲】
【請求項１】
選択触媒還元（ＳＣＲ）に使用するための触媒であって、
１種または複数のＢＥＡ型構造のゼオライト、
１種または複数のＣＨＡ型構造のゼオライト、および任意選択で、
１種または複数のＭＦＩ型構造のゼオライト
を含み、
１種または複数のＢＥＡ型構造のゼオライトの少なくとも一部は、鉄（Ｆｅ）を含有し、
１種または複数のＣＨＡ型構造のゼオライトの少なくとも一部は、銅（Ｃｕ）を含有し、
任意選択の１種または複数のＭＦＩ型構造のゼオライトの少なくとも一部は、鉄（Ｆｅ）を含有していることを特徴とする触媒。
【請求項２】
１種または複数のＢＥＡ型構造のゼオライトの１種または複数のＣＨＡ型構造のゼオライトに対する質量比、または
触媒が１種または複数のＭＦＩ型構造のゼオライトを含む場合、１種または複数のＢＥＡ型構造のゼオライトと１種または複数のＭＦＩ型構造のゼオライトの全質量の、１種または複数のＣＨＡ型構造のゼオライトの質量に対する比が０．１〜１０の範囲にある請求項１に記載の触媒。
【請求項３】
１種または複数のゼオライトが、ＡｌとＳｉの両方を、それらそれぞれのゼオライト骨格中に含む、請求項１または２に記載の触媒。
【請求項４】
１種または複数のＢＥＡ型構造またはＭＦＩ型構造のゼオライト中のシリカのアルミナに対するモル比（ＳＡＲ）がそれぞれ、５〜１５０の範囲にある、請求項３に記載の触媒。
【請求項５】
触媒が、１種または複数のＭＦＩ型構造のゼオライトを含み、
１種または複数のＢＥＡ型構造のゼオライト中のシリカのアルミナに対するモル比（ＳＡＲ）が、５〜２００の範囲にある請求項３または４に記載の触媒。
【請求項６】
１種または複数のＣＨＡ型構造のゼオライト中のシリカのアルミナに対するモル比（ＳＡＲ）が、５〜１００の範囲にある請求項３から５のいずれか1項に記載の触媒。
【請求項７】
１種または複数のＢＥＡ型構造のゼオライト中のＦｅ量、または
触媒が１種または複数のＭＦＩ型構造のゼオライトを含む場合、１種または複数のＢＥＡ型構造のゼオライト中、および１種または複数のＭＦＩ型構造のゼオライト中の平均Ｆｅ量が、前記１種または複数のゼオライトの質量に対して、０．０５〜１５質量％の範囲にある請求項１から６のいずれか1項に記載の触媒。
【請求項８】
触媒が、１種または複数のＭＦＩ型構造のゼオライトを含み、
１種または複数のＢＥＡ型構造のゼオライト中のＦｅ量は、前記１種または複数のゼオライトの質量に対して、０．０１〜１０質量に対して％の範囲にあり、
１種または複数のＭＦＩ型構造のゼオライト中のＦｅ量は、前記１種または複数のゼオライトの質量に対して、０．１〜１５質量％の範囲にある請求項７に記載の触媒。
【請求項９】
１種または複数のＣＨＡ型構造のゼオライト中のＣｕ量が、前記１種または複数のゼオライトの質量に対して、０．０５〜２０質量％の範囲にある請求項１から８のいずれか１項に記載の触媒。
【請求項１０】
基材をさらに含み、その上に１種または複数のゼオライトが設けられている請求項１から９のいずれか1項に記載の触媒。
【請求項１１】
基材が、フロースルー基材およびウォールフロー基材からなる群から選択される請求項１０に記載の触媒。
【請求項１２】
触媒が、基材上に設けられている１種または複数の層を含み、ゼオライトは、単一層または２つ以上の個別の層に含有されている請求項１０または１１に記載の触媒。
【請求項１３】
１種または複数のＣＨＡ型構造のゼオライトが、０．１〜８ｇ／ｉｎ３の範囲の担持量で触媒中に存在する請求項１から１２のいずれか１項に記載の触媒。
【請求項１４】
１種または複数のＢＥＡ型構造のゼオライトの担持量、または
触媒が１種または複数のＭＦＩ型構造のゼオライトを含む場合、１種または複数のＢＥＡ型構造のゼオライト、および１種または複数のＭＦＩ型構造のゼオライトの総担持量が、
０．０５〜５ｇ／ｉｎ３の範囲にある請求項１から１３のいずれか１項に記載の触媒。
【請求項１５】
内燃機関、および内燃機関に液体連通している排出ガス管路を含む排出ガス処理システムに含まれ、前記触媒が、排出ガス管路中に存在する請求項１から１４のいずれか１項に記載の触媒。
【請求項１６】
内燃機関、および内燃機関に液体連通している排出ガス管路を含む排出ガス処理システムであって、
請求項１から１４のいずれか1項に記載の触媒が、排出ガス管路中に存在することを特徴とする排出ガス処理システム。
【請求項１７】
酸化触媒および／または触媒加工すすフィルター（ＣＳＦ）をさらに含む、請求項１６に記載の排出ガス処理システムであって、酸化触媒が、内燃機関がディーゼルエンジンである場合にディーゼル酸化触媒（ＤＯＣ）である排出ガス処理システム。
【請求項１８】
ＮＯｘを含むガス流の処理方法であって、請求項１から１４のいずれか１項に記載の触媒上および／またはその中に前記ガス流を導入することを含むことを特徴とする処理方法。
【請求項１９】
ガス流がアンモニアおよび／または尿素を含む、請求項１８に記載のＮＯｘを含むガス流の処理方法。
【請求項２０】
触媒をガス流に接触させる前のＮＯ２含有量が、ＮＯｘ１００質量％基準で８０質量％以下である請求項１８または１９に記載のＮＯｘを含むガス流の処理方法。
【手続補正書】
【提出日】平成27年8月31日(2015.8.31)
【手続補正１】
【補正対象書類名】特許請求の範囲
【補正対象項目名】全文
【補正方法】変更
【補正の内容】
【特許請求の範囲】
【請求項１】
流体を収容するための可撓性バッグ（１２８）と、
流体を混合するためのバッグ（１２８）内の使い捨て磁気撹拌器（１４２）であって、外部磁気駆動システム（１２１）と磁気的に結合したときに回転軸の周りを回転するように構成された磁気攪拌器（１４２）と
を備える混合システムであって、
可撓性バッグが、使用時にバッグ（１２８）を少なくとも部分的に囲繞、支持又は収容するバッグ支持構造壁（１０６）を含むバッグ支持構造（１０４）によって支持されるように構成されており、可撓性バッグ（１２８）が、撹拌器（１４２）を外部磁気駆動システム（１２１）と磁気的に結合したときにバッグ（１２８）内に撹拌器（１４２）のための無レシーバー式リテーナを画成するようにバッグ支持構造（１０４）の賦形部によって変形されるように構成されている、混合システム。
【請求項２】
バッグ支持構造（１０４）の賦形部が、可撓性バッグ（１２８）及び流体撹拌用撹拌器を保持するキャビティ、リング状隆起部又は突起（５００）、溝（６００）又はポストのうちの１以上である、請求項１記載の混合システム。
【請求項３】
バッグ支持構造（１０４）の賦形部が、（ｉ）構造（１０４）の内壁の環状溝（６００）であって、撹拌器（１４２）が、回転式撹拌器（１４２）を少なくとも部分的に囲繞して溝（６００）に嵌合する支持構造（２１０）をさらに備えているか、或いは（ｉｉ）支持構造（１０４）の内壁の環状突起（５００）であって、撹拌器が、突起（５００）の内側に嵌合する支持構造（２１０）をさらに備えている、請求項１記載の混合システム。
【請求項４】
流体を混合する方法であって、
流体を収容するための可撓性バッグ（１２８）を用意するステップと、
支持構造（２１０）及び回転可能な磁気撹拌器（１４２）を含む撹拌器（１４２）を可撓性バッグ（１２８）内へ挿入するステップと、
可撓性バッグ（１２８）をバッグ支持構造（１０４）内に設置するステップと、
可撓性バッグを収容する支持構造（１０４）の賦形部に対して撹拌器（１４２）を配置するステップであって、撹拌器（１４２）と支持構造（１０４）の賦形部との間に可撓性バッグ（１２８）が挟まれるようにするステップと、
可撓性バッグ（１２８）が賦形部と係合して撹拌器（１４２）と外部磁気駆動システム（１２１）の磁気的結合を図るため、支持構造（２１０）を可撓性バッグ（１２８）の内壁に接触させるように配置するステップと、
外部磁気駆動システム（１２１）を起動して、撹拌器（１４２）を磁気的に回転させて可撓性バッグ（１２８）内の流体を混合するステップと
を含む方法。
【請求項５】
バッグ支持構造（１０４）の賦形部が、支持構造（２１０）が係合するように構成されたキャビティ、リング状隆起部又は突起（５００）、溝（６００）又はポストのうちの１以上である、請求項４記載の方法。
【請求項６】
流体を混合するための混合システムであって、
流体を収容するための可撓性バッグ（１２８）と、
可撓性バッグ（１２８）内に位置し、流体を混合するように構成された磁気撹拌器（１４２）であって、磁気攪拌機（１４２）が回転可能なハブ（２０４）及び１以上の羽根又はブレード（２０６Ａ）を備えており、ハブ（２０４）が中心軸の周りを回転できるようにするとともにハブ（２０４）を支持するための撹拌器軸受け構造（２１３）が取り付けられていて、支持構造（２１０）が、回転可能なハブ（２０４）を可撓性バッグ（１２８）から離隔させるように可撓性バッグ（１２８）の内面に接触して設けられ、支持構造（２１０）が、撹拌器軸受け構造（２１３）に取り付けられる、磁気撹拌器（１４２）と、
磁気撹拌器（１４２）と磁気的に結合して磁気撹拌器（１４２）の回転を駆動する外部磁気駆動システム（１２１）と
を備える混合システム。
【請求項７】
流体を収容し、１以上の開口（３１１、７３４）を有する可撓性バッグ（１２８）と、
スパージャーユニット（１３８Ａ）を備え、１以上の開口（３１１、７３４）をシールし、液密通路を提供する１以上のバルクヘッドユニット（１３８、１３８Ａ、１３８Ｂ、１３８Ｃ）と、
可撓性バッグ（１２８）の内壁に接触し、流体を混合するように構成された磁気撹拌器（１４２）とを備え、磁気撹拌器（１４２）が、
磁気撹拌器（１４２）に取り付けられた１以上の羽根（３０６、２０６）、
回転可能なハブ（３０４、８０４）、
ハブ（３０４、８０４）を支持する撹拌器軸受（３１３、８１３）、
ハブ（３０４、８０４）及び軸受（３１３、８１３）を可撓性バッグ（１２８）から離隔させるように軸受（３１３、８１３）に取り付けられた支持構造（３１０、２１０）、並びに
磁気撹拌器（１４２）と磁気的に結合して磁気撹拌器（１４２）の回転を駆動する外部磁気駆動システム（１２１）を備える、
バイオリアクターシステム。
【請求項８】
バルクヘッドスパージャー（１３８Ａ）が、スパージャーベース（４００）、フランジ（４０１）及びプレナム（４１８）を備え、フランジ（４０１）が、バッグ開口（３１１、７３４）を実質上囲繞し、且つフランジ（４０１）と支持構造（１０６）との間に可撓性バッグ１２８を挟むことによってバルクヘッドスパージャー（１３８Ａ）をシールするように適合されている、請求項７記載のバイオリアクターシステム。
【請求項９】
バルクヘッドスパージャー（１３８Ａ）が、外部の気体ラインをプレナム（４１８）に結合させる継手（４１０）をさらに備える、請求項７記載のバイオリアクターシステム。
【請求項１０】
スパージャーユニット（１３８Ａ）が、
スパージャーディスク（４０６）を有するスパージャーベース（４００）であって、スパージャーディスク（４０６）が、スパージャーディスク（４０６）とスパージャーベース（４００）との間に気体プレナム（４１８）を形成し、スパージャーベース（４００）が、スパージャーベース（４００）の軸に沿って気体流路（４１２）をさらに備え、気体流路（４１２）が、気体プレナム（４１８）に気体を供給する、スパージャーベース（４００）と、
スパージャーベース（４００）をバッグ（１２８）に固定するファスナー（４０２、６０２）と
を備える、請求項７記載のバイオリアクターシステム。